(57)【特許請求の範囲】
【請求項１】
複数の階層を有する建物であって、
屋内空間を上部屋内空間と下部屋内空間とに隔てると共に、前記上部屋内空間と前記下部屋内空間との間で光が往来可能な光通路が設けられた床部を備え、
前記上部屋内空間と同じ階層に、前記上部屋内空間を介して行き来可能な部屋及びベランダが設けられており、
前記光通路は、前記床部を前記上部屋内空間から前記下部屋内空間まで貫通する空隙であり、
前記床部は、間隔を空けて平行に配設された複数の棒状の桟材により構成されており、
前記空隙は、前記複数の桟材の間に形成されており、
前記複数の桟材は、平面視において、前記ベランダから屋内側に向かって延在していることを特徴とする建物。
【請求項２】
前記上部屋内空間を区画する区画壁には、外光が透過可能な採光部が設けられていることを特徴とする、請求項１に記載の建物。
【請求項３】
前記区画壁には、前記部屋へと通じる開閉可能な第１建具と、前記ベランダへと通じる開閉可能な第２建具と、が設けられており、
前記第２建具は外光が透過可能な透過部を有し、前記採光部は、前記透過部により構成されていることを特徴とする、請求項２に記載の建物。
【請求項４】
前記ベランダは、南東から南西の間の範囲の方角に面していることを特徴とする、請求項１乃至３のいずれか１つに記載の建物。
【請求項５】
前記ベランダは、平面視において、前記下部屋内空間と重なっていることを特徴とする、請求項１乃至４のいずれか１つに記載の建物。
【請求項６】
前記下部屋内空間は、台所を含む空間であることを特徴とする、請求項１乃至５のいずれか１つに記載の建物。
【請求項７】
前記下部屋内空間は、建物内で最も大きい床面積を有する部屋であることを特徴とする、請求項１乃至６のいずれか１つに記載の建物。
【発明の詳細な説明】
【技術分野】
【０００１】
本発明は建物に関する。
【背景技術】
【０００２】
従来から、上下階の間での透光及び通気を可能とする複数の貫通孔が形成された床部を有する、複数の階層を備える建物が知られている（例えば特許文献１参照）。
【先行技術文献】
【特許文献】
【０００３】
【特許文献１】特開２０１２−００１９３７号公報
【発明の概要】
【発明が解決しようとする課題】
【０００４】
ところで、採光目的で吹き抜けを設ける場合がある。吹き抜けを設けると、採光を確保することができる一方で、吹き抜けとなった上部屋内空間は使用することはできなくなるため、屋内の床面積が減少することになる。また、吹き抜けとなった上部屋内空間を区画する壁は容易に清掃することができないという問題がある。更に、上部屋内空間を区画する壁に外気を導入可能な開閉式の建具が設けられている場合には、この建具の開閉についても容易に行うことができないことがあり得る。このように、採光目的で吹き抜けを設けた場合には、採光を確保できる一方で各種の不都合が生じ得る。
【０００５】
そこで本発明は、階層間での光の往来を可能にする床部を利用すると共に、床部の上部空間に、より有効活用可能な空間を有する建物を提供することを目的とするものである。
【課題を解決するための手段】
【０００６】
本発明の第１の態様としての建物は、複数の階層を有する建物であって、屋内空間を上部屋内空間と下部屋内空間とに隔てると共に、前記上部屋内空間と前記下部屋内空間との間で光が往来可能な光通路が設けられた床部を備え、前記上部屋内空間と同じ階層に、前記上部屋内空間を介して行き来可能な部屋及びベランダが設けられていることを特徴とするものである。
【０００７】
本発明の１つの実施形態として、前記上部屋内空間を区画する区画壁には、外光が透過可能な採光部が設けられていることが好ましい。
【０００８】
本発明の１つの実施形態として、前記区画壁には、前記部屋へと通じる開閉可能な第１建具と、前記ベランダへと通じる開閉可能な第２建具と、が設けられており、前記第２建具は外光が透過可能な透過部を有し、前記採光部は、前記透過部により構成されていることが好ましい。
【０００９】
本発明の１つの実施形態として、前記ベランダは、南東から南西の間の範囲の方角に面していることが好ましい。
【００１０】
本発明の１つの実施形態として、前記ベランダは、平面視において、前記下部屋内空間と重なっていることが好ましい。
【００１１】
本発明の１つの実施形態として、前記光通路は、前記床部を前記上部屋内空間から前記下部屋内空間まで貫通する空隙であることが好ましい。
【００１２】
本発明の１つの実施形態として、前記床部は、間隔を空けて平行に配設された複数の棒状の桟材により構成されており、前記空隙は、前記複数の桟材の間に形成されていることが好ましい。
【００１３】
本発明の１つの実施形態として、前記複数の桟材は、平面視において、前記ベランダから屋内側に向かって延在していることが好ましい。
【００１４】
本発明の１つの実施形態として、前記下部屋内空間は、台所を含む空間であることが好ましい。
【００１５】
本発明の１つの実施形態として、前記下部屋内空間は、建物内で最も大きい床面積を有する部屋であることが好ましい。
【発明の効果】
【００１６】
本発明によれば、階層間での光の往来を可能にする床部を利用すると共に、床部の上部空間に、より有効活用可能な空間を有する建物を提供することができる。
【図面の簡単な説明】
【００１７】
【図１】本発明の一実施形態としての建物を示す図である。
【図２】図１に示す建物の２階の一部を示す平面図である。
【図３】床部の取付け詳細を示す縦断面図である。
【図４】床部の取付け詳細を示す平面図である。
【図５】光通路が設けられた床部を利用した建物の一例を示す図である。
【図６】光通路が設けられた床部を利用した建物の一例を示す図である。
【図７】光通路が設けられた床部を利用した建物の一例を示す図である。
【図８】光通路が設けられた床部を利用した建物の一例を示す図である。
【図９】光通路が設けられた床部を利用した建物の一例を示す図である。
【図１０】光通路が設けられた床部を利用した建物の一例を示す図である。
【図１１】光通路が設けられた床部を利用した建物の一例を示す図である。
【図１２】ブラケット部材の変形例を示す図である。
【発明を実施するための形態】
【００１８】
以下、本発明に係る建物の実施形態について、図１〜図１２を参照して説明する。なお、各図において共通の部材には、同一の符号を付している。
【００１９】
図１は、本発明に係る建物の一実施形態としての建物１を示す図である。まず、建物１の全体構成について説明する。建物１は、鉄骨造の軸組みを有する２階建ての工業化住宅である。換言すれば、建物１は複数の階層として２層を有するものである。建物１は、地盤に固定された鉄筋コンクリート造の基礎構造体（図示省略）と、柱部材や梁部材などの軸組部材で構成された軸組架構を有し、基礎構造体に固定された上部構造体と、で構成されている。なお、軸組架構を構成する軸組部材は、規格化（標準化）されたものであり、予め工場にて製造されたのち建築現場に搬入されて組み立てられる。
【００２０】
基礎構造体は、軸組架構の下方に位置し、軸組架構を支持している。具体的に、基礎構造体は、鉄筋コンクリート造の断面Ｔ字状の布基礎であり、フーチング部と、基礎梁としての立ち上がり部とを備える。また、基礎構造体の立ち上がり部の上端部には、露出型固定柱脚工法により軸組架構の柱部材の柱脚を固定するための柱脚固定部が設けられ、アンカーボルトが立ち上がり部の上面から突出している。
【００２１】
上部構造体は、複数の柱部材及び柱部材間に架設された複数の梁部材から構成される軸組架構と、この軸組架構の外周部に配置される外周壁と、を備えている。
【００２２】
外周壁は、外装部材と、断熱部材と、内装部材と、を含んでいる。外装部材は、例えば、軽量気泡コンクリート（以下、「ＡＬＣ」と記載する。「ＡＬＣ」とは「autoclaved light weight concrete」の略である。）のパネルにより構成することができ、軸組架構の周囲にＡＬＣパネルを複数連接させることにより、外周壁の外層を形成することができる。断熱部材は、例えば、フェノールフォーム、ポリスチレンフォーム、ウレタンフォーム等の発泡樹脂系の材料で形成することができ、上述の外装部材により形成された外層の内面に沿って連接することにより、外周壁の断熱層を形成することができる。更に、内装部材は、例えば、石膏ボードを用いることができ、断熱層の内側に連接することにより、外周壁の内層を形成することができる。
【００２３】
各階の床は、床支持部材を含んでいる。床支持部材は、例えば、ＡＬＣパネルにより構成することができる。１階の床は、床支持部材を基礎構造体に架設することで形成することができる。また、２階の床及び屋上階の床は、床支持部材を梁部材間に架設することにより形成することができる。このようにして、各階の床支持層を形成することができる。なお、各階の床は、床支持部材の他に、フローリング等の床仕上げ層を構成する床仕上げ部材を含むものであってもよい。なお、２階の床のうち後述する床部４０については、床支持部材として、鋼材で形成された複数の桟材４１が用いられている。床部４０の詳細は後述する（図３等参照）。
【００２４】
以下、建物１の間取り構成について、詳細に説明する。
【００２５】
図１に示すように、建物１は、１階及び２階に部屋を有している。１階に設けられた部屋１０は、居間、食堂及び台所が一体となった空間であり、居住者が共同で利用する共用空間となっている。そして、この１階の部屋１０は、図１に示す建物１内で最も大きい床面積を有する部屋である。
【００２６】
２階に設けられた部屋２０は、寝室、子供部屋、書斎等の個室であり、居住者のうち特定の者が主に利用することが想定された専用空間となっている。
【００２７】
更に、建物１の２階にはベランダ３０が設けられている。ベランダ３０は、建物１の外周壁の外側に位置しており、外周壁には、２階の屋内とベランダ３０とを行き来可能とする出入り口が設けられている。そして、後述するように、この出入り口には開閉可能な第２建具３１が設けられている。
【００２８】
ここで、建物１の２階の床は、屋内空間を上部屋内空間４０ａと下部屋内空間４０ｂとに隔てると共に、上部屋内空間４０ａと下部屋内空間４０ｂとの間で光が往来可能な光通路４５が設けられた床部４０を備えている。なお、本実施形態の床部４０により隔てられた建物１の「上部屋内空間４０ａ」とは、床部４０に対して鉛直方向上側に位置する２階の屋内空間であり、「下部屋内空間４０ｂ」とは、床部４０に対して鉛直方向下側に位置する１階の屋内空間、すなわち居間、食堂及び台所が一体となった空間である。
【００２９】
そして、図１に示す建物１における２階の部屋２０及びベランダ３０は、上部屋内空間４０ａを介して行き来可能な間取りとなっている。換言すれば、建物１は、上部屋内空間４０ａと同じ階層である２階に、上部屋内空間４０ａを介して行き来可能な部屋２０及びベランダ３０を有している。
【００３０】
また、上述したように、床部４０には光通路４５が設けられているため、上部屋内空間４０ａの光は、床部４０の光通路４５を通じて、下部屋内空間４０ｂとしての居間、食堂及び台所が一体となった空間へと入り込むことができる。
【００３１】
つまり、光通路４５が設けられた床部４０は、上部屋内空間と下部屋内空間との間で光の往来が不可能な床部と比較して、下部屋内空間４０ｂとしての居間、食堂及び台所が一体となった空間の採光性を向上させると共に、上部屋内空間４０ａの有効活用を可能にするものであり、図１の上部屋内空間４０ａは、２階の部屋２０とベランダ３０とを繋ぐアプローチとして活用可能である。
【００３２】
なお、上部屋内空間４０ａを区画する区画壁には、外光が透過可能な採光部５０が設けられている。そのため、採光部５０から透過した外光を、床部４０の光通路４５を通じて、下部屋内空間４０ｂに取り込み易く、下部屋内空間４０ｂでの外光の採光性を高くすることができる。
【００３３】
なお、本実施形態の上部屋内空間４０ａを区画する区画壁には、２階の部屋２０へと通じる開閉可能な第１建具２１と、ベランダ３０へと通じる開閉可能な第２建具３１と、が設けられており、第２建具３１は、外光が透過可能な透過部３２を有している。より具体的に、本実施形態の上部屋内空間４０ａを区画する区画壁は、部屋２０との間を隔てる仕切壁と、ベランダ３０との間を隔てる外壁と、を含んでおり、仕切壁に形成された出入り口に第１建具２１が設けられ、外壁に形成された出入り口に第２建具３１が設けられている。そして、本実施形態の採光部５０は、第２建具３１の透過部３２により構成されている。透過部３２は、例えば、ガラス等の透明部材により構成することが可能である。第１建具２１及び第２建具３１は、例えば、スライド式やヒンジ式の開閉扉とすることができる。
【００３４】
また、採光部５０は、下部屋内空間４０ｂから光通路４５を通じて視認可能であることが好ましい。特に、下部屋内空間４０ｂから、光通路４５及び採光部５０を通じて、屋外が視通可能であることが好ましい。このようにすれば、下部屋内空間４０ｂの開放感を一層演出することができる。
【００３５】
更に、平面視における採光部５０の位置は、外光の採光性が高い位置とすることが好ましい。本実施形態の採光部５０は、上述したようにベランダ３０に通じる第２建具３１の透過部３２により構成されている。そのため、本実施形態では、建物１のベランダ３０を、平面視において南東から南西の間の範囲の方角に面する配置とすることが好ましい。
【００３６】
また、本実施形態では、採光部５０を第２建具３１の透過部３２で構成しているが、この構成に限られるものではなく、例えば、上部屋内空間４０ａの鉛直方向上方に設けられた外光を取り込むことが可能な天窓等により採光部５０を構成してもよい。また、天窓及び第２建具３１の透過部３２の両方により採光部５０を構成してもよい。
【００３７】
図１に示す建物１における下部屋内空間４０ｂは、上述したように、居間、食堂及び台所が一体となった空間であるが、このような空間に限られるものではなく、例えば、居間のみからなる空間、食堂及び台所のみからなる空間、子供部屋等の特定の個室空間など、の他の空間としてもよい。なお、台所とは、キッチンセット５がある空間を意味している。
【００３８】
また、建物１のベランダ３０は、平面視において、下部屋内空間４０ｂと重なっている。換言すれば、図１に示すように、建物１のベランダ３０の鉛直方向下方には、下部屋内空間４０ｂが位置している。このような配置とすれば、下部屋内空間４０ｂのうち、ベランダ３０から比較的遠い奥の位置まで、採光部５０及び床部４０の光通路４５を通じて、外光を供給し易くなる。
【００３９】
次に、床部４０の詳細について説明する。図２は、図１に示す建物１の２階平面図のうち床部４０の近傍を示すものである。また、図３及び図４はそれぞれ、床部４０の取付け詳細を示す縦断面図及び平面図である。なお、図２では、図４に示す床部４０の取付け詳細は省略して描かれている。また、図４では、床部４０と後述する梁部材２ａ及び２ｂとの間の取付け詳細を示しているが、その他の部材は省略して描かれている。
【００４０】
図１〜図４に示すように、床部４０の光通路４５は、床部４０を上部屋内空間４０ａから下部屋内空間４０ｂまで貫通する空隙である。より具体的に、本実施形態の床部４０は、床支持部材として、間隔を空けて平行に配設された複数の棒状の桟材４１を備えており、光通路４５としての空隙は、複数の桟材４１の間に形成されている。このように、光通路４５を空隙とすれば、外光などの光のみならず、屋外からの風をも光通路４５を通じて下部屋内空間４０ｂへと供給することが可能となる。なお、本実施形態の桟材４１は、上述したように鋼材により形成されている。
【００４１】
また、本実施形態の複数の桟材４１は、平面視（図２参照）において、ベランダ３０から屋内側に向かって延在している。換言すれば、桟材４１は、平面視（図２参照）において、上部屋内空間４０ａとベランダ３０とを隔てる外壁と直交する方向に延在している。そのため、桟材が平面視において上部屋内空間とベランダとを隔てる外壁に平行して延在する構成と比較して、上部屋内空間４０ａとベランダ３０とを隔てる外壁に設けられた第２建具３１を透過して屋内に入り込んだ外光が、複数の桟材４１の間の光通路４５を通じて下部屋内空間４０ｂへと届き易くなる。なお、第２建具３１が開放された状態であっても、第２建具３１が設けられた出入り口から外光及び風が屋内へと入り込み、光通路４５としての空隙を通じて、下部屋内空間４０ｂへと供給される。
【００４２】
更に、図２に示すように、第１建具２１と第２建具３１とは、平面視において南北方向において対向して配置されている。そのため、第２建具３１が設けられた出入り口から入り込んだ風は、第１建具２１が設けられた出入り口を通じて、部屋２０内へと入り込み易く、ベランダ３０から離れた奥に位置する部屋２０であっても通気性を確保することができる。
【００４３】
また更に、図２に示すように、本実施形態の上部屋内空間４０ａは、区画壁を介して複数の部屋と隣接している。具体的に、図２に示す上部屋内空間４０ａは、部屋２０及び部屋６０と区画壁を介して隣接しており、部屋２０からは第１建具２１が設けられた出入り口を通じて、部屋６０からは第３建具６１が設けられた出入り口を通じて、上部屋内空間４０ａに出入りすることができる。このような間取りとすれば、各部屋２０及び６０を利用する者の共用空間としても活用することが可能となる。
【００４４】
次に、桟材４１の取付け構成の詳細について説明する。上述したように、本実施形態では、階層間を上部屋内空間４０ａと下部屋内空間４０ｂとに隔てると共に、上部屋内空間４０ａと下部屋内空間４０ｂとの間で光が往来可能な光通路４５が設けられた床部４０の床支持部材が、複数の桟材４１により構成されている。
【００４５】
そして、図３及び図４に示すように、床支持部材の外縁部のうち所定の対向する両端部としての、平行に配列された複数の桟材４１の両端部に、ブラケット部材４２ａ及び４２ｂが取り付けられている。ブラケット部材４２ａ及び４２ｂは、床支持部材の外縁としての、複数の桟材４１の端部により形成される仮想外縁に沿って延在しており、各桟材４１の端部が、ブラケット部材４２ａ及び４２ｂに取り付けられている。より具体的に、一方のブラケット部材４２ａは、複数の桟材４１の一端部同士を繋ぐ仮想外縁に沿って延在しており、一方のブラケット部材４２ａに、各桟材４１の一端部が取り付けられている。また、他方のブラケット部材４２ｂは、複数の桟材４１の他端部同士を繋ぐ仮想外縁に沿って延在しており、他方のブラケット部材４２ｂに、各桟材４１の他端部が取り付けられている。
【００４６】
また、図３及び図４に示すように、ブラケット部材４２ａ及び４２ｂは、建物１の軸組架構を構成する、１階と２階の階間に位置する梁部材２ａ及び２ｂに固定されている。つまり、梁部材２ａ及び２ｂは、床部４０の床支持部材としての複数の桟材４１の両端部を、ブラケット部材４２ａ及び４２ｂを介して支持している。このように、床部４０の床支持部材としての複数の桟材４１を、ブラケット部材４２ａ及び４２ｂを介して、梁部材２ａ及び２ｂに支持させることにより、床部４０の床支持部材の梁部材２ａ及び２ｂに対する高さ位置をブラケット部材４２ａ及び４２ｂの構成により調整することが可能となる。そのため、床部４０の床支持部材の梁部材２ａ及び２ｂに対する高さ位置の設計自由度を向上させることができる。また、床部４０の床支持部材と梁部材２ａ及び２ｂとの間にブラケット部材４２ａ及び４２ｂを介する構成とすれば、床部４０の床支持部材と梁部材２ａ及び２ｂとの間に一定の間隙を形成することができるため、このような間隙がない構成と比較して、床部４０の床支持部材と梁部材２ａ及び２ｂとの間での熱移動を抑制することができる。そして、この間隙に断熱材を配置することも可能である。
【００４７】
更に、ブラケット部材４２ａ及び４２ｂを介在させることにより、床部４０の床支持部材としての複数の桟材４１を、梁部材２ａ及び２ｂと非接触の状態で、梁部材２ａ及び２ｂに対して位置を固定することができる。このような構成とした場合には、床部４０の床支持部材と梁部材２ａ及び２ｂとの間での熱移動を一層抑制することができる。また、桟材４１と梁部材２ａ及び２ｂとの間に、断熱材を配置してもよい。
【００４８】
また更に、床部４０の床支持部材として複数の桟材４１を用いる本実施形態の場合には、各桟材４１の寸法誤差等により、梁部材２ａ及び２ｂに直接固定する構成を採用すると、各桟材４１の踏み面となる面の高さ位置が若干ばらつくおそれがある。しかしながら、ブラケット部材４２ａ及び４２ｂを用いることにより、各桟材４１の多少の寸法誤差を吸収することができ、各桟材４１の踏み面となる面の高さ位置がばらつくことを抑制することができる。更に、床部４０の床支持部材として複数の桟材４１を用いる本実施形態の場合には、桟材４１と梁部材２ａ及び２ｂとの取り付け構成を考慮することなく、間取りに合わせて規格化された所定の長さを有する複数の桟材４１を形成すればよく、汎用性が高い床部４０を実現することができる。
【００４９】
また、図３に示すように、本実施形態の床部４０の床支持部材は、ブラケット部材４２ａ及び４２ｂを介して、梁部材２ａ及び２ｂよりも鉛直方向上側の位置で、梁部材２ａ及び２ｂに支持されている。
【００５０】
具体的に、本実施形態のブラケット部材４２ａ及び４２ｂは、梁部材２ａ及び２ｂの上面に固定されており、床部４０の床支持部材としての複数の桟材４１は、ブラケット部材４２ａ及び４２ｂの側面に固定されている。換言すれば、本実施形態のブラケット部材４２ａ及び４２ｂは、その鉛直方向下側の下面が梁部材２ａ及び２ｂの上面に当接した状態で、ボルト及びナット等の締結手段により、梁部材２ａ及び２ｂに対して固定されている。そして、複数の桟材４１の端部は、ブラケット部材４２ａ及び４２ｂの側面に、ボルト及びナット等の締結手段又は溶接等により固定されている。
【００５１】
ここで、本実施形態のブラケット部材４２ａ及び４２ｂは、複数の桟材４１の端部に取り付けられ、桟材４１の延在方向と直交する方向に延在する長尺の第１連結部材４３ａ及び４３ｂと、この第１連結部材４３ａ及び４３ｂの延在方向において所定間隔を隔てて配置され、第１連結部材４３ａ及び４３ｂにボルト及びナット等の締結手段により固定されると共に、梁部材２ａ及び２ｂの上面に固定される第２連結部材４４ａ及び４４ｂと、を備えている。
【００５２】
なお、本実施形態のブラケット部材４２ａ及び４２ｂは、第１連結部材４３ａ及び４３ｂと、第２連結部材４４ａ及び４４ｂと、を備える構成であるが、この構成に限られるものではなく、例えば、単一の部材により各ブラケット部材を構成してもよく、３つ以上の部材を組み合わせて各ブラケット部材を構成してもよい。
【００５３】
図１２は、単一の部材によりブラケット部材を構成した一例を示す図である。図１２に示すように、ブラケット部材７４２ａ及び７４２ｂは、断面クランク形状の長尺の部材であり、上部水平片７４２ａ１及び７４２ｂ１と、下部水平片７４２ａ２及び７４２ｂ２と、これらを連結する垂直片７４２ａ３及び７４２ｂ３と、を備えている。ブラケット部材７４２ａ及び７４２ｂは、下部水平片７４２ａ２及び７４２ｂ２を、梁部材２ａ及び２ｂの上面にボルト及びナット等の締結手段で接合することにより固定されている。複数の桟材４１の端部は、上部水平片７４２ａ１及び７４２ｂ１に、ボルト及びナット等の締結手段又は溶接により固定されている。
【００５４】
また、上述したように、第２連結部材４４ａ及び４４ｂは、第１連結部材４３ａ及び４３ｂの延在方向において所定間隔を隔てて複数配置されており、隣り合う第２連結部材４４ａの間、及び隣り合う第２連結部材４４ｂの間には空隙が形成されている。上述したように、このような空隙を形成すれば、桟材４１と梁部材２ａ及び２ｂとの間の熱移動を抑制することができる。また、この空隙に断熱材を配置してもよい。
【００５５】
更に、図３及び図４に示すように、ブラケット部材４２ａ及び４２ｂは、梁部材２ａ及び２ｂの上面の一部のみに重なって配置されており、図３に示すように、梁部材２ａの上面には、ブラケット部材４２ａの他に、床部４０の床支持部材とは別の、床部４０と共に同階の床を構成する床支持部材７０が固定されている。なお、図３に示す、床部４０の床支持部材とは別の床支持部材７０は、ＡＬＣパネルにより構成されており、床支持部材７０は、２階の部屋２０の床を構成している。また、図３に示すように、床支持部材７０の上面には、部屋２０の床面となる、フローリング等の床仕上げ部材７１が積層されている。
【００５６】
図３に示すように、梁部材２ｂの上面には、ブラケット部材４２ｂの他に、ベランダ３０への出入り口が形成された外壁を支持するＬ型の支持部材７２が、ボルト及びナット等の締結手段（図示省略）により固定されている。ベランダ３０の床支持部材７５は、連結部材（図示省略）を介して梁部材２ｂに対してボルト及びナット等の締結手段（図示省略）により固定されている。本実施形態のベランダ３０の床支持部材７５は、ＡＬＣパネルにより構成されており、その上面には防水性の塗料やシート材により、表面層７６が形成されている。また、図３に示すように、第２建具３１が設けられた出入り口の床７８と、床部４０との間には板材により段差が形成されており、第２建具３１が設けられた出入り口は、床部４０よりも一段だけ高い位置に形成されている。
【００５７】
なお、下部屋内空間４０ｂの天井面のうち床部４０以外の部分は、内装部材７９により覆われている。
【００５８】
図２〜図４に示すように、床部４０の床支持部材としての複数の桟材４１には、桟材４１の延在方向の両側に位置するブラケット部材４２ａ及び４２ｂの間の位置で、複数の桟材４１に連結された棒状部材７７が取り付けられている。より具体的に、棒状部材７７は、複数の桟材４１の下面に当接した状態で、ねじ８０（図３参照）等により、各桟材４１に対して固定されている。そして、この棒状部材７７は、梁部材２ａ及び２ｂのような軸組部材には支持・固定されていない。このような棒状部材７７を設けることにより、各桟材４１に加わる荷重を複数の桟材４１へと分散することができ、各桟材４１の振れを抑制することができる。なお、本実施形態では、棒状部材７７を桟材４１の延在方向の略中央に１つのみ設けているが、桟材４１の長さ等に応じて、棒状部材７７を桟材４１の延在方向において所定間隔を空けて複数配置するようにしてもよい。
【００５９】
また、図２〜図４に示すように、本実施形態の桟材４１は、横断面外形が四角形状である。そのため、床部４０を踏み際の踏み心地がよい。
【００６０】
以上のとおり、本実施形態の床部４０の床支持部材は、平行に配設された複数の桟材４１により構成されているが、この構成に限られるものではなく、床部４０の床支持部材を、例えば、上部屋内空間から下部屋内空間まで貫通する複数の開口が区画された格子部材としてもよい。かかる場合の光通路は、格子部材が区画する開口となる。また、本実施形態の床部４０の床支持部材は、平行に配設された複数の桟材４１の間に光通路としての空隙を有するものであるが、光通路は空隙に限られるものではなく、例えば、上部屋内空間から下部屋内空間へと光を透過可能な透明部により光通路を構成してもよい。透明部は、例えばガラスにより形成することができる。
【００６１】
以下、屋内空間を上部屋内空間と下部屋内空間とに隔てると共に、上部屋内空間と下部屋内空間との間で光が往来可能な光通路が設けられた床部、を利用した建物の別の間取りを説明する。
【００６２】
図５（ａ）は、建物１００を示す図である。建物１００は、上述した建物１と基本構造は共通するものであり、間取りのみが異なっている。図５（ａ）に示すように、建物１００は、１階及び２階に部屋を有している。１階に設けられた部屋１１０は、居間、食堂及び台所が一体となった空間であり、居住者が共同で利用する共用空間となっている。そして、この１階の部屋１１０は、図５（ａ）に示す建物１００内で最も大きい床面積を有する部屋である。また、図５（ａ）に示すように、１階の部屋１１０には、キッチンセット５が配置されている。２階には、部屋１２０ａと広縁１２０ｂとが設けられている。部屋１２０ａは、寝室、子供部屋、書斎等の個室であり、居住者のうち特定の者が主に利用することが想定された専用空間となっている。広縁１２０ｂは、部屋１２０ａに隣接するスペースである。
【００６３】
ここで、建物１００は、屋内空間を上部屋内空間１４０ａと下部屋内空間１４０ｂとに隔てると共に、上部屋内空間１４０ａと下部屋内空間１４０ｂとの間で光が往来可能な光通路１４５が設けられた床部１４０を備えている。具体的に、床部１４０は、上部屋内空間１４０ａとしての広縁１２０ｂと、下部屋内空間１４０ｂとしての部屋１１０とを隔てている。なお、床部１４０の詳細構成は、上述した建物１の床部４０と同様であるためここでは説明を省略する。
【００６４】
広縁１２０ｂを区画する区画壁には、外光が透過可能な採光部１５０が設けられている。より具体的に、広縁１２０ｂを区画する区画壁には、部屋１２０ａへと通じる開閉可能な第１建具１２１と、外方へと通じる開閉可能な第２建具１３１と、が設けられており、第２建具１３１は外光が透過可能な透過部１３２を有している。そして、採光部１５０は、第２建具１３１の透過部１３２により構成されている。なお、第２建具１３１としては、例えばスライド式のガラス窓等とすることができ、透過部１３２は、例えばガラス窓のガラスにより構成される。
【００６５】
このような間取りとすることにより、採光部１５０から外光を広縁１２０ｂ内に取り込むと共に、光通路１４５を通じて、１階の部屋１１０まで外光を取り込むことが可能となる（図５（ａ）の実線矢印参照）。
【００６６】
また、床部１４０の光通路１４５が、上述した床部４０の光通路４５のように、風の通過をも許容するものである場合には、第２建具１３１を開放した状態とすることにより、第２建具１３１が設けられた開口から光通路１４５を通じて、１階の部屋１１０に、光と共に風を取り込むことが可能となる（図５（ａ）の破線矢印参照）。このように、床部１４０の存在により、下部屋内空間の採光性を向上させることができ、特に、床部１４０の光通路１４５を風の通過が可能な構成とすれば、下部屋内空間の採光性の向上に加えて、下部屋内空間の通気性をも向上させることができる。なお、第１建具１２１を開放した状態とすれば、第２建具１３１が設けられた開口から第１建具１２１が設けられた出入り口を通じて、部屋１２０ａ内へと風を取り込むことも可能となる。
【００６７】
図５（ｂ）は、図５（ａ）の１階及び２階の間取りを逆にした間取りを有する建物２００を示す図である。具体的に、建物２００は、上述した建物１及び１００と基本構造は共通するものであり、間取りのみが異なっている。図５（ｂ）に示すように、建物２００は、１階及び２階に部屋を有している。２階に設けられた部屋２２０は、居間、食堂及び台所が一体となった空間であり、居住者が共同で利用する共用空間となっている。そして、この２階の部屋２２０は、図５（ｂ）に示す建物２００内で最も大きい床面積を有する部屋である。また、図５（ｂ）に示すように、２階の部屋２２０には、キッチンセット５が配置されている。１階には、部屋２１０ａと縁側２１０ｂとが設けられている。部屋２１０ａは、寝室、子供部屋、書斎等の個室であり、居住者のうち特定の者が主に利用することが想定された専用空間となっている。縁側２１０ｂは、部屋２１０ａに隣接するスペースである。
【００６８】
ここで、建物２００は、屋内空間を上部屋内空間２４０ａと下部屋内空間２４０ｂとに隔てると共に、上部屋内空間２４０ａと下部屋内空間２４０ｂとの間で光が往来可能な光通路２４５が設けられた床部２４０を備えている。具体的に、床部２４０は、上部屋内空間２４０ａとしての部屋２２０と、下部屋内空間２４０ｂとしての縁側２１０ｂとを隔てている。なお、床部２４０の詳細構成は、上述した建物１の床部４０と同様であるためここでは説明を省略する。
【００６９】
部屋２２０を区画する区画壁には、外光が透過可能な採光部２５０が設けられている。より具体的に、部屋２２０を区画する区画壁には、外方へと通じる開閉可能な建具２３１が設けられており、建具２３１は外光が透過可能な透過部２３２を有している。そして、採光部２５０は、建具２３１の透過部２３２により構成されている。なお、建具２３１としては、例えばスライド式のガラス窓等とすることができ、透過部２３２は、例えばガラス窓のガラスにより構成される。
【００７０】
また、縁側２１０ｂを区画する区画壁には、部屋２１０ａへと通じる開閉可能な建具２１１が設けられている。
【００７１】
このような間取りとすることにより、採光部２５０から外光を部屋２２０内に取り込むと共に、光通路２４５を通じて、１階の縁側２１０ｂまで外光を取り込むことが可能となる（図５（ｂ）の実線矢印参照）。
【００７２】
また、床部２４０の光通路２４５が、上述した床部４０の光通路４５のように、風の通過をも許容するものである場合には、建具２３１を開放した状態とすることにより、建具２３１が設けられた開口から光通路２４５を通じて、１階の縁側２１０ｂに、光と共に風を取り込むことが可能となる（図５（ｂ）の破線矢印参照）。更に、建具２１１を開放した状態とすれば、建具２３１が設けられた開口から、光通路２４５、縁側２１０ｂ、及び建具２１１が設けられた出入り口を通じて、部屋２１０ａ内へと風を取り込むことも可能となる。このように、床部２４０の存在により、下部屋内空間の採光性を向上させることができ、特に、床部２４０の光通路２４５を風の通過が可能な構成とすれば、下部屋内空間の採光性の向上に加えて、下部屋内空間や下部屋内空間に隣接する部屋の通気性をも向上させることができる。
【００７３】
なお、図５（ｂ）では、下部屋内空間として縁側２１０ｂを設ける間取りとしているが、縁側２１０ｂに限らず、例えば、図６（ａ）に示すように、書斎などの部屋２１０ｂ´を設ける間取りとしてもよい。
【００７４】
また、図５（ｂ）では、１階に部屋２１０ａ及び縁側２１０ｂを設ける間取りとしているが、この間取りに限られるものではなく、図６（ｂ）に示すような、２階の部屋２２０と同程度の広さを有する、すなわち、２階の部屋２２０と床面積が略等しい部屋２１０´を１階に設ける間取りとすることも可能である。かかる場合には、下部屋内空間２４０ｂとしての１階の部屋２１０´及び上部屋内空間２４０ａとしての２階の部屋２２０の一方を、居間、食堂及び台所が一体となった、居住者が共同で利用する共用空間とし、他方を、寝室、子供部屋、書斎等の個室で、居住者のうち特定の者が主に利用することが想定された専用空間とすることができる。また、１階の部屋２１０´及び２階の部屋２２０の両方を、寝室、子供部屋、書斎等の個室としてもよい。
【００７５】
図７は、建物３００を示す図である。建物３００は、上述した建物１、１００及び２００と基本構造は共通するものであり、間取りのみが異なっている。図７に示すように、建物３００は、１階及び２階に部屋を有している。１階には部屋３１０ａと廊下３１０ｂとが設けられている。２階には部屋３２０ａと廊下３２０ｂとが設けられている。１階及び２階に設けられた部屋３１０ａ及び３２０ａは、居間、食堂及び台所が一体となった居住者が共同で利用する共用空間であっても、寝室、子供部屋、書斎等の個室であり、居住者のうち特定の者が主に利用することが想定された専用空間であってもよい。１階の廊下３１０ｂと２階の廊下３２０ｂとは、階段３３０により繋がっている。
【００７６】
図７に示すように、建物３００の１階の部屋３１０ａ及び廊下３１０ｂは、仕切壁を介して隣接しており、この仕切壁には、開閉可能な建具３１１が設けられている。また、図７に示すように、建物３００の２階の部屋３２０ａ及び廊下３２０ｂは、仕切壁を介して隣接しており、この仕切壁には、開閉可能な建具３２１が設けられている。
【００７７】
ここで、建物３００は、屋内空間を上部屋内空間３４０ａと下部屋内空間３４０ｂとに隔てると共に、上部屋内空間３４０ａと下部屋内空間３４０ｂとの間で光が往来可能な光通路３４５が設けられた床部３４０を備えている。具体的に、床部３４０は、上部屋内空間３４０ａとしての廊下３２０ｂと、下部屋内空間３４０ｂとしての廊下３１０ｂとを隔てている。なお、床部３４０の詳細構成は、上述した建物１の床部４０と同様であるためここでは説明を省略する。
【００７８】
２階の廊下３２０ｂを区画する区画壁には、外光が透過可能な採光部３５０が設けられている。より具体的に、廊下３２０ｂを区画する区画壁には、部屋３２０ａへと通じる開閉可能な３２１と、外方へと通じる開閉可能な建具３３１と、が設けられており、建具３３１は外光が透過可能な透過部３３２を有している。そして、採光部３５０は、建具３３１の透過部３３２により構成されている。なお、建具３３１としては、例えばスライド式のガラス窓等とすることができ、透過部３３２は、例えばガラス窓のガラスにより構成される。
【００７９】
このような間取りとすることにより、採光部３５０から外光を廊下３２０ｂ内に取り込むと共に、光通路３４５を通じて、１階の廊下３１０ｂまで外光を取り込むことが可能となる（図７の実線矢印参照）。
【００８０】
また、床部３４０の光通路３４５が、上述した床部４０の光通路４５のように、風の通過をも許容するものである場合には、建具３３１を開放した状態とすることにより、建具３３１が設けられた開口から光通路３４５を通じて、１階の廊下３１０ｂに、光と共に風を取り込むことが可能となる（図７の破線矢印参照）。更に、建具３１１及び３２１を開放した状態とすれば、建具３３１が設けられた開口から建具３１１及び３２１が設けられた出入り口を通じて、部屋３１０ａ及び３２０ａ内へと風を取り込むことも可能となる。このように、床部３４０の存在により、下部屋内空間の採光性を向上させることができ、特に、床部３４０の光通路３４５を風の通過が可能な構成とすれば、下部屋内空間の採光性の向上に加えて、下部屋内空間や下部屋内空間に隣接する部屋の通気性をも向上させることができる。
【００８１】
なお、図７に示す建物３００は、１階の廊下３１０ｂと２階の廊下３２０ｂとの間に床部３４０が設けられた間取りであるが、例えば、図８に示すように、２階の廊下３２０ｂを部屋としての収納室３２０ｂ´に変更すると共に、図７に示す階段３３０を無くした間取りとしてもよい。このような間取りとすれば、採光部３５０及び光通路３４５を通じて、１階の廊下３１０ｂに外光を取り込むことが可能であると共に、建具３３１が開放状態のときには建具３３１が設けられた開口から、衣服等が収納される収納室３２０ｂ´へと風が入り込み易く、収納室３２０ｂ´の通気性を向上させることができる。更に、床部３４０が、収納室３２０ｂ´と、１階の廊下３１０ｂとを隔てる構成であるため、光通路３４５が風の通過をも許容するものである場合には、収納室３２０ｂ´から１階の廊下３１０ｂへの通気のみならず、１階廊下３１０ｂから収納室３２０ｂ´への通気も可能となり、収納室３２０ｂ´の通気性を更に向上させることができる。なお、図８に示す例では、１階の廊下３１０ｂを区画する外壁にも、開閉式のガラス窓等で構成された採光部３５０´が設けられている。
【００８２】
図９は、建物４００を示す図である。建物４００は、鉄骨造の軸組みを有する３階建ての工業化住宅である。図９に示すように、建物４００は、１階、２階及び３階に部屋を有している。１階に設けられた部屋４１０は、寝室、子供部屋、書斎等の個室であり、居住者のうち特定の者が主に利用することが想定された専用空間となっている。２階に設けられた部屋４２０は、居間、食堂及び台所が一体となった空間であり、居住者が共同で利用する共用空間となっている。そして、この２階の部屋４２０は、図９に示す建物４００内で最も大きい床面積を有する部屋である。また、図９に示すように、２階の部屋４２０には、キッチンセット５が配置されている。３階には、部屋４３０が設けられている。部屋４３０は、寝室、子供部屋、書斎等の個室であり、居住者のうち特定の者が主に利用することが想定された専用空間となっている。
【００８３】
ここで、建物４００は、屋内空間を上部屋内空間４４０ａと下部屋内空間４４０ｂとに隔てると共に、上部屋内空間４４０ａと下部屋内空間４４０ｂとの間で光が往来可能な光通路４４５が設けられた床部４４０を備えている。具体的に、床部４４０は、上部屋内空間４４０ａとしての部屋４２０の上部吹き抜け空間４２０ａと、下部屋内空間４４０ｂとしての部屋４２０の下部空間４２０ｂとを隔てている。なお、２階の部屋４２０の床面と、床部４４０の上面とは、階段４９０により繋がっている。また、床部４４０の詳細構成は、上述した建物１の床部４０と同様であるためここでは説明を省略する。
【００８４】
上部吹き抜け空間４２０ａを区画する区画壁には、外光が透過可能な採光部４５０が設けられている。より具体的に、上部吹き抜け空間４２０ａを区画する区画壁には、外方へと通じる開閉可能な建具４３１が設けられており、建具４３１は外光が透過可能な透過部４３２を有している。そして、採光部４５０は、建具４３１の透過部４３２により構成されている。なお、建具４３１としては、例えばスライド式のガラス窓等とすることができ、透過部４３２は、例えばガラス窓のガラスにより構成される。
【００８５】
また、図９に示すように、３階の部屋４３０を区画する区画壁には、ガラス窓等の、部屋４２０の上部吹き抜け空間４２０ａに通じる開閉可能な建具４３５が設けられている。
【００８６】
このような間取りとすることにより、採光部４５０から外光を上部吹き抜け空間４２０ａ内に取り込むと共に、光通路４４５を通じて、部屋４２０の下部空間４２０ｂまで外光を取り込むことが可能となる（図９の実線矢印参照）。
【００８７】
また、床部４４０の光通路４４５が、上述した床部４０の光通路４５のように、風の通過をも許容するものである場合には、建具４３１を開放した状態とすることにより、建具４３１が設けられた開口から光通路４４５を通じて、部屋４２０の下部空間４２０ｂに、光と共に風を取り込むことが可能となる（図９の破線矢印参照）。このように、床部４４０の存在により、下部屋内空間の採光性を向上させることができ、特に、床部４４０の光通路４４５を風の通過が可能な構成とすれば、下部屋内空間の採光性の向上に加えて、下部屋内空間の通気性をも向上させることができる。なお、３階の部屋４３０の建具４３５を開放した状態とすれば、建具４３１が設けられた開口及び建具４３５が設けられた開口を通じて、部屋１２０ａ内へと風を取り込むことも可能となる。
【００８８】
更に、図９に示す例では、部屋４２０の上部吹き抜け空間４２０ａと下部空間４２０ｂとを隔てる床部４４０としているため、上部吹き抜け空間４２０ａを区画する区画壁であっても、床部４４０を利用することにより、容易に清掃を行うことができる。また更に、上部吹き抜け空間４２０ａを区画する区画壁に設けられた建具４３１の開閉作業についても、床部４４０を利用することにより、容易に行うことができる。
【００８９】
図１０は、建物５００を示す図である。建物５００は、上述した建物１、１００及び２００、３００と基本構造は共通するものであり、間取りのみが異なっている。図１０に示すように、建物５００は、１階及び２階に部屋を有している。１階に設けられた部屋５１０は、居間、食堂及び台所が一体となった空間であり、居住者が共同で利用する共用空間となっている。そして、この１階の部屋５１０は、図１０に示す建物５００内で最も大きい床面積を有する部屋である。また、図１０に示すように、１階の部屋５１０には、キッチンセット５が配置されている。２階には、第１の部屋５２０ａと、第２の部屋５２０ｂと、第１の部屋５２０ａ及び第２の部屋５２０ｂに挟まれた共用スペース５２０ｃと、が設けられている。第１及び第２の部屋５２０ａ及び５２０ｂは、寝室、子供部屋、書斎等の個室であり、居住者のうち特定の者が主に利用することが想定された専用空間となっている。
【００９０】
ここで、建物５００は、屋内空間を上部屋内空間５４０ａと下部屋内空間５４０ｂとに隔てると共に、上部屋内空間５４０ａと下部屋内空間５４０ｂとの間で光が往来可能な光通路５４５が設けられた床部５４０を備えている。具体的に、床部５４０は、上部屋内空間５４０ａとしての共用スペース５２０ｃと、下部屋内空間５４０ｂとしての部屋５１０とを隔てている。なお、床部５４０の詳細構成は、上述した建物１の床部４０と同様であるためここでは説明を省略する。
【００９１】
共用スペース５２０ｃを区画する鉛直方向上側の天井部には、外光が透過可能な採光部５５０が設けられている。より具体的に、共用スペース５２０ｃを区画する天井部には、外方へと通じる開閉可能な建具５３１が設けられており、建具５３１は外光が透過可能な透過部５３２を有している。そして、採光部５５０は、建具５３１の透過部５３２により構成されている。なお、建具５３１としては、例えばスライド式のガラス窓等とすることができ、透過部５３２は、例えばガラス窓のガラスにより構成される。
【００９２】
また、共用スペース５２０ｃを区画する区画壁には、第１の部屋５２０ａへと通じる開閉可能な建具５２１ａと、第２の部屋５２０ｂへと通じる開閉可能な建具５２１ｂと、が設けられている。
【００９３】
このような間取りとすることにより、採光部５５０から外光を共用スペース５２０ｃ内に取り込むと共に、光通路５４５を通じて、１階の部屋５１０まで外光を取り込むことが可能となる（図１０の実線矢印参照）。
【００９４】
また、床部５４０の光通路５４５が、上述した床部４０の光通路４５のように、風の通過をも許容するものである場合には、第２建具１３１を開放した状態とすることにより、建具５３１が設けられた開口から光通路５４５を通じて、１階の部屋５１０に、光と共に風を取り込むことが可能となる（図１０の破線矢印参照）。このように、床部５４０の存在により、下部屋内空間の採光性を向上させることができ、特に、床部５４０の光通路５４５を風の通過が可能な構成とすれば、下部屋内空間の採光性の向上に加えて、下部屋内空間の通気性をも向上させることができる。なお、建具５２１ａ及び５２１ｂを開放した状態とすれば、建具５３１が設けられた開口から建具５２１ａ及び５２１ｂが設けられた出入り口を通じて、第１の部屋５２０ａ内及び第２の部屋５２０ｂ内へと風を取り込むことも可能となる。
【００９５】
図１１（ａ）は、建物６００を示す図である。建物６００は、上述した建物１と基本構造は共通するものであるが、屋根部分の構成が異なっており、屋根裏空間Ｓを有するものである。図１１（ａ）に示すように、建物６００は、１階及び２階に部屋を有している。１階に設けられた部屋６１０及び２階に設けられた部屋６２０は、居間、食堂及び台所が一体となった、居住者が共同で利用する共用空間であってもよく、寝室、子供部屋、書斎等の、居住者のうち特定の者が主に利用することが想定された専用空間であってもよい。そして、図１１（ａ）に示す建物６００は、屋上階に三角屋根により区画された屋根裏空間Ｓを有している。
【００９６】
ここで、建物６００は、屋内空間を上部屋内空間６４０ａと下部屋内空間６４０ｂとに隔てると共に、上部屋内空間６４０ａと下部屋内空間６４０ｂとの間で光が往来可能な光通路６４５が設けられた床部６４０を備えている。具体的に、床部６４０は、上部屋内空間６４０ａとしての屋根裏空間Ｓと、下部屋内空間６４０ｂとしての部屋６２０とを隔てている。なお、床部６４０の詳細構成は、上述した建物１の床部４０と同様であるためここでは説明を省略する。
【００９７】
屋根裏空間Ｓを区画する区画壁又は区画屋根には、外光が透過可能な採光部６５０が設けられている。より具体的に、屋根裏空間Ｓを区画する区画壁又は区画屋根には、外方へと通じる開閉可能な建具６３１が設けられており、建具６３１は外光が透過可能な透過部６３２を有している。そして、採光部６５０は、建具６３１の透過部６３２により構成されている。なお、建具６３１としては、例えばスライド式のガラス窓等とすることができ、透過部６３２は、例えばガラス窓のガラスにより構成される。
【００９８】
このような間取りとすることにより、採光部６５０から外光を屋根裏空間Ｓ内に取り込むと共に、光通路６４５を通じて、２階の部屋６２０まで外光を取り込むことが可能となる（図１１（ａ）の実線矢印参照）。
【００９９】
また、床部６４０の光通路６４５が、上述した床部４０の光通路４５のように、風の通過をも許容するものである場合には、建具６３１を開放した状態とすることにより、建具６３１が設けられた開口から光通路６４５を通じて、２階の部屋６２０に、光と共に風を取り込むことが可能となる（図１１（ａ）の破線矢印参照）。このように、床部６４０の存在により、下部屋内空間の採光性を向上させることができ、特に、床部６４０の光通路６４５を風の通過が可能な構成とすれば、下部屋内空間の採光性の向上に加えて、下部屋内空間の通気性をも向上させることができる。
【０１００】
なお、図１１（ｂ）は、図１１（ａ）に示す建物６００と比較して、屋根裏空間Ｓを区画する屋根形状が異なり、屋根裏空間Ｓが広いものであり、外光及び風を取り込む建具６３１が２つ設けられているものである。また、図１１（ｃ）は、図１１（ａ）に示す建物６００と比較して、階層が１つだけ多いものであり（３階の部屋６３０）、他の構成は同様である。
【産業上の利用可能性】
【０１０１】
本発明は建物に関する。
【符号の説明】
【０１０２】
１：建物
２ａ、２ｂ：梁部材
５：キッチンセット
１０：部屋
２０：部屋
２１：第１建具
３０：ベランダ
３１：第２建具
３２：透過部
４０：床部
４０ａ：上部屋内空間
４０ｂ：下部屋内空間
４１：桟材（床支持部材）
４２ａ、４２ｂ：ブラケット部材
４３ａ、４３ｂ：第１連結部材
４４ａ、４４ｂ：第２連結部材
４５：光通路
５０：採光部
６０：部屋
６１：第３建具
７０：床支持部材
７１：床仕上げ部材
７２：支持部材
７５：床支持部材
７６：表面層
７７：棒状部材
７８：第２建具が設けられた出入り口の床
７９：内装部材
８０：ねじ
１００、２００、３００、４００、５００、６００：建物
１１０：部屋
１２０ａ：部屋
１２０ｂ：広縁
１２１：第１建具
１３１：第２建具
１３２：透過部
１４０ａ：上部屋内空間
１４０ｂ：下部屋内空間
１４５：光通路
１５０：採光部
２１０´：部屋
２１０ａ：部屋
２１０ｂ：縁側
２１０ｂ´：部屋
２２０：部屋
２３１：建具
２３２：透過部
２４０：床部
２４０ａ：上部屋内空間
２４０ｂ：下部屋内空間
２４５：光通路
２５０：採光部
３１０ａ：部屋
３１０ｂ：廊下
３１１：建具
３２０ａ：部屋
３２０ｂ：廊下
３２０ｂ´：収納室（部屋）
３２１：建具
３３０：階段
３３１：建具
３３２：透過部
３４０：床部
３４０ａ：上部屋内空間
３４０ｂ：下部屋内空間
３４５：光通路
３５０、３５０´：採光部
４１０：部屋
４２０：部屋
４２０ａ：上部吹き抜け空間
４２０ｂ：下部空間
４３０：部屋
４３１：建具
４３２：透過部
４３５：建具
４４０：床部
４４０ａ：上部屋内空間
４４０ｂ：下部屋内空間
４４５：光通路
４５０：採光部
４９０：階段
５１０：部屋
５２０ａ：第１の部屋
５２０ｂ：第２の部屋
５２０ｃ：共用スペース
５２１ａ：建具
５２１ｂ：建具
５３１：建具
５３２：透過部
５４０：床部
５４０ａ：上部屋内空間
５４０ｂ：下部屋内空間
５４５：光通路
５５０：採光部
６１０：部屋
６２０：部屋
６３０：部屋
６３１：建具
６３２：透過部
６４０：床部
６４０ａ：上部屋内空間
６４０ｂ：下部屋内空間
６４５：光通路
６５０：採光部
７４２ａ、７４２ｂ：ブラケット部材
７４２ａ１、７４２ｂ１：上部水平片
７４２ａ２、７４２ｂ２：下部水平片
７４２ａ３、７４２ｂ３：垂直片
Ｓ：屋根裏空間
【図１】
0006730027.tif 000002
【図２】
0006730027.tif 000003
【図３】
0006730027.tif 000004
【図４】
0006730027.tif 000005
【図５】
0006730027.tif 000006
【図６】
0006730027.tif 000007
【図７】
0006730027.tif 000008
【図８】
0006730027.tif 000009
【図９】
0006730027.tif 000010
【図１０】
0006730027.tif 000011
【図１１】
0006730027.tif 000012
【図１２】
0006730027.tif 000013